(57)【要約】  【課題】  複数の床パネルを複数の支持部材によって支持する場合に、切断された床パネルを用いた場合にも、設置作業が行いやすい床支持構造を提供する。  【解決手段】  本発明の床支持構造１は、床パネル１０と支持部材１１とが用いられている。そして、床パネル１０には、基本パネル１０ａと調整パネル１０ｂとを使用し、調整パネル１０ｂは、設置領域９３の列５０の端には配置されていない。そして、各列５０の調整パネル１０ｂは、基本パネル１０ａを設置した後に設置される。そのため、設置作業がしやすい。【選択図】  図１
2006336313.tif 000002
【特許請求の範囲】
【請求項１】
複数の床パネルを構造物上に配置される複数の支持部材によって支持し、前記支持部材は隣接する複数の床パネルを支持して、所定の領域について床パネルと構造物との間に空間を形成されている床支持構造であって、
支持部材には上向きに突出する突起部が設けられ、床パネルには平板部と当該平板部の下側に格子状に形成される格子梁が設けられ、格子梁の間に形成される空間に支持部材の突起部を挿入して隣接する床パネル同士を連結するものであり、
床パネルは、所定の形状の基本パネルと、基本パネルを切断して形成されるものであって切断辺を有する調整パネルとが用いられており、所定の領域の一方から他方に向かって列を形成するように床パネルが配置されるものであって、各列の両端には基本パネルが配置しており、調整パネルは各列の両端を除く部分に配置されていることを特徴とする床支持構造。
【請求項２】
調整パネルと基本パネルとを支える支持部材の内、調整パネルの切断された辺に配置される支持部材は、調整パネル側の突起部の一部が欠落していることを特徴とする請求項１に記載の床支持構造。
【請求項３】
床パネルの列は複数設けられて、各列の調整パネルは両端を除く部分に配置され、隣接する列の切断辺の位置をずらすことにより、調整パネルと当該調整パネルの切断辺側の基本パネルとを間接的に連結することを特徴とする請求項１又は２に記載の床支持構造。
【請求項４】
隣接する列の調整パネルは同じ位置にあり、当該隣接する調整パネルの切断辺の位置を反対側となるように配置していることを特徴とする請求項３に記載の床支持構造。
【請求項５】
請求項１〜４のいずれかの床支持構造を設置する床支持構造の設置方法であって、各列の調整パネルは最後に設置するものであることを特徴とする床支持構造の設置方法。
【請求項６】
調整パネルは十字状に配置されるものであり、長方形状の設置領域の４つのコーナーから基本パネルのみを設置して、基本パネルの設置が終わった後に、調整パネルを設置するものであることを特徴とする請求項５に記載の床支持構造の設置方法。
【発明の詳細な説明】
【技術分野】
【０００１】
本発明は、床面の上に、床パネルなどによって形成される別の床を中空状態で支持する床支持構造に関するものである。
【背景技術】
【０００２】
床下に電線や管を設置する場合、床を２重構造として、上下の床の間に電線や管を設置することが行われている。このような、２重構造の床の形成はパーティクルボードを用いて形成する方法があるが、他の方法として、床パネルを用いる方法がある。
【０００３】
この床パネルを用いる方法では、所定の形状である定形の床パネルと、床パネルを支持する支持部材を複数用意し、本来の床面上に支持部材を載置して、さらに支持部材の上に床パネルを載せて２重構造の床を形成する。そして、床パネルの形状は正方形状のものが用いられている。
そして、このような技術は特許文献１などに記載されている。
【０００４】
通常、支持部材は、床パネルの４ヵ所の角に配置し、必要に応じて他の部分に配置されており、床パネルのいずれの位置に荷重がかかっても支えられるようにしている。
また、床パネル同士の相対移動を阻止する必要があるので、支持部材に突起などの係止部を複数設け、同じ支持部材によって隣接する床パネルを連結している。
【特許文献１】特開２００１−３０３７５７号公報
【発明の開示】
【発明が解決しようとする課題】
【０００５】
床パネルは床上の荷重を受けるので、厚みが厚い方が望ましいが、重くなってしまうので、下側に突出する格子状の梁を設けた形状としている。そして、格子梁の間に、前記した支持部材の突起を挿入している。
【０００６】
ところで、このような２重構造の床が形成される場所の形状は、建物によって異なるものであり、様々な形状である。そのため、長さや幅が床パネルの整数倍でない場合などには、定形の床パネルとは異なる形状の床パネルを用いる必要がある。このようなパネルは、設置現場で所望の長さに切断している。
【０００７】
そして、切断された不定形の床パネルの切断された辺の部分は、上記した支持部材の突起を挿入することができない場合がある。これは、下方に突出する格子状の梁との位置関係がずれてしまうためである。そのため、このような切断された不定形の床パネルの切断辺が、床パネルの設置される領域の端となるように配置するようにしていた。
【０００８】
床パネルが設置されるエリアの端は、壁際であり、かかる場所は重量物が載せられる場合が多い。ところが、このような切断された床パネルは、通常の床パネルに比べて強度が低くなりやすく、より多くの支持部材によって支持するなどして補強することが必要であり、設置作業がしにくかった。
【０００９】
また、床パネルの設置は、設置される領域の一方の端から他方の端へ向かうように行われ、不定形の床パネルは最後に設置される。これは、隣接する床パネルを支持部材によって連結しているために端から順番に行う必要があり、また、不定形の床パネルの長さは設置してみないと幅がわからないため最後に設置する必要があるからである。
そのため、不定形の床パネルが端で最後に設置することになってしまうので、設置作業が行いにくい。
【００１０】
そこで、本発明は、切断された床パネルを用いた場合にも、設置作業が行いやすい床支持構造を提供することを課題とする。
【課題を解決するための手段】
【００１１】
そして、上記した目的を達成するための請求項１に記載の発明は、複数の床パネルを構造物上に配置される複数の支持部材によって支持し、前記支持部材は隣接する複数の床パネルを支持して、所定の領域について床パネルと構造物との間に空間を形成されている床支持構造であって、支持部材には上向きに突出する突起部が設けられ、床パネルには平板部と当該平板部の下側に格子状に形成される格子梁が設けられ、格子梁の間に形成される空間に支持部材の突起部を挿入して隣接する床パネル同士を連結するものであり、床パネルは、所定の形状の基本パネルと、基本パネルを切断して形成されるものであって切断辺を有する調整パネルとが用いられており、所定の領域の一方から他方に向かって列を形成するように床パネルが配置されるものであって、各列の両端には基本パネルが配置しており、調整パネルは各列の両端を除く部分に配置されていることを特徴とする床支持構造である。
【００１２】
請求項１に記載の発明によれば、床パネルが構造物上に配置された支持部材によって支持されて、構造物と床パネルとの間に空間が形成されるものであり、床パネルには基本パネルと調整パネルとを有して、調整パネルは両端以外の部分に位置しているので、設置作業がしやすい。
【００１３】
請求項２に記載の発明は、調整パネルと基本パネルとを支える支持部材の内、調整パネルの切断された辺に配置される支持部材は、調整パネル側の突起部の一部が欠落していることを特徴とする請求項１に記載の床支持構造である。
【００１４】
請求項２に記載の発明によれば、調整パネルと基本パネルとを支える支持部材の内、調整パネルの切断された辺に配置される支持部材は、調整パネル側の突起部の一部が欠落しているので、調整パネルの格子梁の位置に影響されることなく調整パネルの支持ができる。
【００１５】
請求項３に記載の発明は、床パネルの列は複数設けられて、各列の調整パネルは両端を除く部分に配置され、隣接する列の切断辺の位置をずらすことにより、調整パネルと当該調整パネルの切断辺側の基本パネルとを間接的に連結することを特徴とする請求項１又は２に記載の床支持構造である。
【００１６】
請求項３に記載の発明によれば、隣接する列の切断辺の位置をずらすことにより、調整パネルと当該調整パネルの切断辺側の基本パネルとを間接的に連結することができるので、床支持構造の床パネルの連結を確実に行うことができる。
【００１７】
請求項４に記載の発明は、隣接する列の調整パネルは同じ位置にあり、当該隣接する調整パネルの切断辺の位置を反対側となるように配置していることを特徴とする請求項３に記載の床支持構造である。
【００１８】
請求項４に記載の発明によれば、隣接する列の調整パネルは同じ位置にあり、当該隣接する調整パネルの切断辺の位置を反対側となるように配置しているので、４枚の床パネルの角の位置を合わせることができるので、支持部材による床パネルの支持がしやすい。
【００１９】
請求項５に記載の発明は、各列の調整パネルは最後に設置するものであることを特徴とする請求項１〜４のいずれかの床支持構造の設置方法である。
【００２０】
請求項５に記載の発明によれば、各列の調整パネルは最後に設置するものであるので、設置作業がしやすい。
【発明の効果】
【００２１】
本発明の床支持構造によれば、切断された床パネルを用いた場合にも、設置作業が行いやすい。
【発明を実施するための最良の形態】
【００２２】
以下さらに本発明の具体的実施例について説明する。図１は、本発明の第１の実施形態における床支持構造を上側から見た図である。図２は、本発明の第１の実施形態における床支持構造の一部分を上側から見た図である。図３、図４は、本発明の第１の実施形態における床支持構造の一部分を横から見た図である。図５は、床パネルを上から見た斜視図である。図６は床パネルを下から見た斜視図である。図７、図９〜図１１は支持部材の斜視図である。図８は支持部材の分解斜視図である。図１２は基本パネルと調整パネルとの間の支持構造を示したものである。図１３、図１４は、本発明の第１、第２の実施形態における床支持構造の切断辺を示した模式図である。
【００２３】
本発明の第１の実施形態における床支持構造１は、図２、図３に示されるように、床パネル１０と支持部材１１によって形成される。支持部材１１は構造物９０上に載置されており、床パネル１０は支持部材１１によって支えられている。そして、構造物９０と床パネル１０との間に空間９１が形成される。この空間９１に配線や配管を行い、床上に露出する線や管を最小限の長さにすることができる。
構造物９０は上側がほぼ水平な平面状であり、コンクリート構造物の床スラブなどである。構造物９０は、支持部材１１を置くことができればどのようなものであってもよい。
また、床支持構造１の上側には、図４に示されるように、フローリング材などの床材９２が配置される。
【００２４】
そして、図１に示されるように、床支持構造１は設置領域９３に設置される。設置領域９３は構造物９０の所定の領域であり、複数の床パネル１０は設置領域９３を覆うように配置される。この設置領域９３は、設置される場所により大きさや形状がことなるものであるが、本実施形態の設置領域９３は長方形状であり、床パネル１０は縦横に並べられている。
【００２５】
床支持構造１は、複数の床パネル１０と、複数の支持部材１１とが用いられている。
本実施形態に用いられる床パネル１０は、図５、図６に示されるように、平板部３０と格子梁３１とが設けられている。平板部３０は正方形の板状であり、格子梁３１は平板部３０の下側のみに設けられており、床パネル１０を使用する場合には、平板部３０が上側に格子梁３１が下側となるように設置される。
【００２６】
格子梁３１は、図６に示されるように、互いに直交するように２方向に延びるように設けられており、それぞれの方向のものが複数有している。また、格子梁３１の延びる方向は、平板部３０の正方形の辺と同じ方向である。また、格子梁３１は平板部３０の全体に設けられ、一番外側に位置する格子梁３１は、平板部３０の辺付近に位置している。
【００２７】
床パネル１０は、平板部３０が上側に、格子梁３１が下側になるような状態で用いられ、床パネル１０の下側には、格子梁３１の間に形成される空間３２が位置している。この空間３２の形状は角柱状であり、上下方向の長さは支持部材１１の突起部２５の長さより長く、空間３２に突起部２５を挿入できる。
また、格子梁３１の最下端の位置は同じ高さである。
【００２８】
格子梁３１によって形成される空間３２の形状は、正方形状の角付近と、辺付近と、中央付近とでは、それぞれ異なっており、それぞれ空間３２ａ、３２ｂ、３２ｃが形成されている。
【００２９】
角付近の空間３２ａは、格子梁３１の２方向の内幅がそれぞれ支持部材１１の突起部２５の幅Ｌ１にほぼ等しく、１個の突起部２５のみを挿入することができる。
辺付近の空間３２ｂは、格子梁３１の一方の内幅が、突起部２５の幅Ｌ１にほぼ等しく、他方の内幅が突起部２５の外側の幅Ｌ１に等しく、２個の突起部２５を挿入することができる。
中央付近の空間３２ｃは、格子梁３１の２方向の内幅がそれぞれ突起部２５の外側の幅Ｌ１に等しく、４個の突起部２５を挿入することができる。
【００３０】
床パネル１０を、角や辺を近づけるように並べると、角付近や辺付近の空間３２ａ、３２ｂ同士が接近する。そして、隣接する２以上の床パネル１０の角付近や辺付近の空間３２ａ、３２ｂに、同じ支持部材１１の突起部２５を挿入することが可能となり、床パネル１０同士を連結することができる。
【００３１】
床パネル１０は、樹脂に充填材を添加したものを用いて成形したものである。床パネル１０に用いられる樹脂は、どのような種類のものを用いても良く、また、一度使用された廃プラスチックをリサイクルした材料を用いることができる。また、充填材として、例えば、木粉や、フライアッシュと呼ばれる石炭灰を用いることができ、このような充填材を添加したものを用いることができる。本実施形態の床パネル１０は、廃プラスチックを６０％、充填材を４０％で配合したものが用いられている。
【００３２】
床支持構造１は２種類の床パネル１０が用いられ、具体的には、基本パネル１０ａと調整パネル１０ｂとが用いられる。基本パネル１０ａは上記した形状のものをそのまま用いるものであり、調整パネル１０ｂは、基本パネル１０ａを切断して形成される。
【００３３】
調整パネル１０ｂは、設置領域９３に合わせられて切断したものであり、基本パネル１０ａでは配置できない場所に配置される。そして、図１に示されるように、設置領域９３の長さや幅が、基本パネル１０ａの長さの倍数とならない場合に、基本パネル１０ａより短い調整パネル１０ｂを用いて、設置領域９３全体を覆う。
調整パネル１０ｂの切断は基本パネル１０ａを設置した後、基本パネル１０ａより小さい領域の大きさに合わせて、基本パネル１０ａを切断して行われる。
【００３４】
本実施形態に用いられる調整パネル１０ｂは、基本パネル１０ａを切断したものである。そして、調整パネル１０ｂの平板部３０は長方形状となっており、切断された辺には切断辺３６が形成される。なお、切断辺３６は基本パネル１０ａの辺に対して平行でも良く、傾斜していても良い。
調整パネル１０ｂの切断辺３６付近の格子梁３１は、切断位置により位置が変わるので、ほとんどの場合、切断辺３６では、支持部材１１の突起部２５による連結ができない。
【００３５】
支持部材１１は、図７、図８に示されるように、支持板２０、長さ調整部２１及び土台部２３により構成されている。
そして、支持板２０と土台部２３との間に長さ調整部２１が配置され、長さ調整部２１によって支持部材１１の高さを変えることが可能となっている。
【００３６】
支持板２０は樹脂製の部材であり、角板部２４と突起部２５とが設けられている。角板部２４は、正方形の板状であり中央に貫通孔４０が設けられている。
突起部２５は、四角柱状であり、その幅Ｌ１は縦方向及び横方向が等しい。また、本実施形態の床支持構造１に用いられる支持板２０は２種類あり、具体的には、図７に示されるような突起部２５が４ヵ所に設けられた第１支持板２０ａと、図９に示されるような突起部２５が２カ所設けられた第２支持板２０ｂとである。
【００３７】
第１支持板２０ａは、図７に示されるように、角板部２４の四隅に４個の突起部２５が配置している。また、第２支持板２０ｂは、図９に示されるように、角板部２４の隣り合う２つの隅に、２個の突起部２５が配置している。なお、図１０、図１１に示すように、突起部２５を１個としてもよく、３個としてもよい。
【００３８】
長さ調整部２１は、支持ナット４１と支持ボルト４２からなっている。支持ナット４１及び支持ボルト４２には、それぞれフランジ部４１ａ、４２ａが設けられている。支持ナット４１は支持ボルト４２に螺合することができ、支持ボルト４２を回転させることにより、フランジ部４１ａ、４２ａ同士の距離を変えることができる。
【００３９】
土台部２３は、例えば、円錐台状の防振ゴムであり、中央に穴部４３が設けられている。
そして、土台部２３の穴部４３に支持ボルト４２を挿入して、土台部２３の上部にフランジ部４２ａが接触するようにする。また、支持板２０の貫通孔４０に支持ナット４１を挿入し、支持板２０の下側にフランジ部４１ａが接触するようにする。
【００４０】
本実施形態の床支持構造１では、支持部材１１を構造物９０上に置き、さらに、支持部材１１の上に床パネル１０が載せられて支持されている。また、床パネル１０の下側の空間３２に支持部材１１の突起部２５を挿入し、床パネル１０と支持部材１１とがずれないようにしており、さらに、同じ支持部材１１の突起部２５を、隣り合う別の複数の床パネル１０の空間３２に挿入して、隣り合う床パネル１０を連結している。
【００４１】
また、支持部材１１は、それぞれの床パネル１０の角付近に配置されており、いずれの位置に荷重がかかっても支えることができるようになっている。なお、必要に応じて床パネル１０の角の位置以外（辺付近、中央付近）に支持部材１１を配置して支えるようにしても良い。
【００４２】
床パネル１０が設置される場合には、床パネル１０同士に少し隙間を設けて設置されており、床パネル１０の角付近に設置される支持部材１１は、中央付近の上側は床パネル１０が覆われない。そのため、床パネル１０の設置後に、上から工具などを挿入して、支持ボルト４２を回転させて高さ調整することができる。なお、他の位置の支持部材１１については、支持部材１１の中央付近に穿孔して、穿孔によって形成された貫通孔に工具などを挿入して高さ調整が行われる。
【００４３】
次に、床支持構造１を設置する方法について説明する。
本実施形態の床パネル１０には、基本パネル１０ａと調整パネル１０ｂとが用いられている。そして、本実施形態の床パネル１０の並びは、設置領域９３の一方から他方に向かって列５０を形成して、この列５０が複数並んでおり、全体では縦横に行列状に配列している。また、図１に示されるように、床パネル１０の縦方向の各列５０に調整パネル１０ｂが１枚ずつ配置し、各列５０の両端（図１における上端及び下端の床パネル１０）の位置に配置される床パネル１０は基本パネル１０ａであり、調整パネル１０ｂではない。
【００４４】
そして、各列５０の床パネル１０の設置順は、設置領域９３の両端から中央側に向かって、順番に床パネル１０を設置する。したがって、各列５０の床パネル１０の調整パネル１０ｂは、当該列５０の最後に設置されるように、両側から基本パネル１０ａを設置される。
なお、本実施形態の床支持構造１では、設置領域９３の４つのコーナーから基本パネル１０ａのみを設置し、基本パネル１０ａの設置できない部分に、調整パネル１０ｂが十字状に配置されいる。そして、この場合、長方形状の設置領域９３の４つのコーナーから基本パネル１０ａのみを設置して、基本パネル１０ａの設置が終わった後に、調整パネル１０ｂを設置する方法を採用することができる。
【００４５】
床パネル１０の設置は、支持部材１１を構造物９０上に置いて、その上に構造物９０との間に空間９１が形成されるように、床パネル１０を載せて行われる。なお、隣接する床パネル１０同士の間に、小さい隙間５１が設けられている。そして、使用時に床パネル１０同士の接触を防ぐことにより、音の発生などを防止することができる。
なお、支持部材１１の突起部２５を床パネル１０の空間３２に挿入した状態で、設置することもできる。
【００４６】
このとき、図１に示されるように、設置領域９３の角に配置される支持部材１１は、１枚の床パネル１０のみを支えるが、設置領域９３の辺に配置される支持部材１１は、隣接する２枚の床パネル１０を支え、他の位置の支持部材１１は隣接する４枚の床パネル１０を支えている。
また、床パネル１０の切断辺３６以外の部分では、第１支持板２０ａが用いられた支持部材１１ａが使用される。そして、突起部２５を床パネル１０の空間３２に挿入し、隣接する床パネル１０同士を支持部材１１によって連結することができる。
【００４７】
そして、床パネル１０の各列５０の最後に調整パネル１０ｂを設置する。上記したように、調整パネル１０ｂは、その位置が列５０の端でなく、また、最後に設置するので設置作業が行いやすい。
本実施形態の調整パネル１０ｂの位置は、全ての列５０で同じ位置にあり、また、切断辺３６も同じ側に配置している。
【００４８】
調整パネル１０ｂの切断辺３６では、切断辺３６の位置によって格子梁３１の位置が変わり、突起部２５を格子梁３１によって形成される空間３２に挿入することができない。そのため、図１２に示されるように、第２支持板２０ｂが用いられた支持部材１１ｂが使用されており、突起部２５が、切断辺３６付近の格子梁３１に干渉しないようにしている。
なお、切断辺３６と支持部材１１との固定は、突起部２５を用いることができないので、ビスなどで固定される。
【００４９】
このようにして、本実施形態の床支持構造１が完成する。
この床支持構造１では、図１１に示されるように、調整パネル１０ｂが同じ位置にあって横並びになっており、また、切断辺３６が同じ側にあるので、切断辺３６が直線状となってしまい、突起部２５による連結が２ヵ所のエリアに分割されてしまう。
【００５０】
そこで、図１４に示す床支持構造３のように、隣り合う位置の調整パネル１０ｂの位置を同じとして切断辺３６の向きを反対にし、切断辺３６の位置を互い違いとなるようにしてもよい。
床支持構造３では、各列５０の切断辺３６の位置が違う位置となるので、調整パネル１０ｂと、この調整パネル１０ｂの切断辺３６側の基本パネル１０ａとを、隣接する列５０の床パネル１０を介して、間接的に連結することができる。そして、床支持構造１の全ての床パネル１０の連結が可能となる。
【図面の簡単な説明】
【００５１】
【図１】本発明の第１の実施形態における床支持構造を上側から見た図である。
【図２】本発明の第１の実施形態における床支持構造の一部分を上側から見た図である。
【図３】本発明の第１の実施形態における床支持構造の一部分を横から見た図である。
【図４】本発明の第１の実施形態における床支持構造の一部分を横から見た図である。
【図５】床パネルを上から見た斜視図である。
【図６】床パネルを下から見た斜視図である。
【図７】支持部材の斜視図である。
【図８】支持部材の分解斜視図である。
【図９】支持部材の斜視図である。
【図１０】支持部材の斜視図である。
【図１１】支持部材の斜視図である。
【図１２】基本パネルと調整パネルとの間の支持構造を示したものである。
【図１３】本発明の第１の実施形態における床支持構造の切断辺を示した模式図である。
【図１４】本発明の第２の実施形態における床支持構造の切断辺を示した模式図である。
【符号の説明】
【００５２】
１、２、３  床支持構造
１０  床パネル
１０ａ  基本パネル
１０ｂ  調整パネル
１１、１１ａ、１１ｂ  支持部材
２５  突出部
３０  平板部
３１  格子梁
３２、３２ａ、３２ｂ、３２ｃ  空間
３６  切断辺
５０  列
【図１】
2006336313.tif 000003
【図２】
2006336313.tif 000004
【図３】
2006336313.tif 000005
【図４】
2006336313.tif 000006
【図５】
2006336313.tif 000007
【図６】
2006336313.tif 000008
【図７】
2006336313.tif 000009
【図８】
2006336313.tif 000010
【図９】
2006336313.tif 000011
【図１０】
2006336313.tif 000012
【図１１】
2006336313.tif 000013
【図１２】
2006336313.tif 000014
【図１３】
2006336313.tif 000015
【図１４】
2006336313.tif 000016